(57)【要約】【課題】    従来ニュース情報の配信システムとして、文字情報や音声ファイルに変換された情報を配信するシステムがあったが、文字を全て読むか、音声を全て聞かなければその情報の全体を把握することができず、必要なニュース情報を、短時間で、簡便に、手に入れることができるという訳ではなかった。【解決手段】  携帯電話や携行端末とその基地局との接続による通信サービス網を利用してニュース等の情報を提供する方法において、ニュース等の情報を、1又は複数枚の静止画漫画で表したデジタルデータを携帯電話や携行端末ユーザに配信するようにすることによって、必要なニュース情報を、いつでも、短時間で、簡便に、どこにいても手に入れることができるようにした。【選択図】  図１
2006018390.tif 000002
【特許請求の範囲】
【請求項１】
携帯電話や携行端末とその基地局との接続による通信サービス網を利用してニュース等の情報を提供する方法であって、
(1) 所定の時間毎に得られる最新のニュース等の情報を、1又は複数枚の静止画漫画で表したデジタルデータを作成するステップと、
(2) 通信サービス網に接続された情報配信サーバに当該デジタルデータ
を入力するステップと、
(3) 携帯電話や携行端末ユーザからの要求により、情報配信サーバに入力された当該デジタルデータを携帯電話や携行端末ユーザに配信するステップと
からなることを特徴とする方法。
【請求項２】
携帯電話や携行端末とその基地局との接続による通信サービス網を利用してニュース等の情報を提供する方法であって、
(1) 所定の時間毎に得られる最新のニュース等の情報を、1又は複数枚の静止画漫画で表したデジタルデータを作成するステップと、
(2) 通信サービス網に接続された情報配信サーバに当該デジタルデータ
を予め定めたジャンル毎に分類して入力するステップと、
(3) 携帯電話や携行端末ユーザからのジャンルを指定した要求により、情報配信サーバに入力された当該デジタルデータの内から、対応するジャンルのデジタルデータを携帯電話や携行端末ユーザに配信するステップと
からなることを特徴とする方法。
【請求項３】
請求項1または2のいずれかに記載の携帯電話や携行端末とその基地局との接続による通信サービス網を利用してニュース情報を提供する方法であって、
前記デジタルデータが、ニュース情報を1又は複数枚の静止画漫画に代えてアニメーションで表したことを特徴とする方法。
【請求項４】
請求項1乃至3のいずれかに記載の携帯電話や携行端末とその基地局との接続による通信サービス網を利用してニュース情報を提供する方法であって、
前記デジタルデータが更に音声情報を含むことを特徴とする方法。
【請求項５】
請求項1乃至4のいずれかに記載の携帯電話や携行端末とその基地局との接続による通信サービス網を利用してニュース情報を提供する方法であって、
前記デジタルデータを携帯電話や携行端末ユーザに配信するステップが、電子メールで配信することを特徴とする方法。
【発明の詳細な説明】
【技術分野】
【０００１】
本発明は、携帯電話や携行端末を利用するユーザにニュース情報等を提供する方法に係り、更に詳細には、漫画またはアニメーションを利用して情報を提供する方法に係る。
【背景技術】
【０００２】
社会がめまぐるしく変化する現代社会においては、政治、経済、社会、スポーツ、文化、芸能等に係るニュース情報等が溢れ、必要なニュース情報等を、いつでも、短時間で、簡便に、どこにいても手に入れたいという社会的なニーズが高まってきている。
【０００３】
一方、係るニュース情報等を提供することができるメディアも多岐にわたっており、新聞、ラジオ、テレビの他、通信サービス網を利用したパソコン、携帯電話、携行端末等が活用されている。
【０００４】
この中で、携帯電話や携行端末の普及率は高く、携帯電話や携行端末を利用してニュース情報等を提供することができれば、携帯電話や携行端末のユーザは必要なニュース情報等を、いつでも、どこにいても手に入れることができる。
【０００５】
しかしながら、携帯電話や携行端末でニュース情報等を入手しようとする場合、文字情報等で情報伝達されるため、携帯電話や携行端末の小さな画面に現れた小さい文字を大量に読まなければならず、短時間で、簡便に情報を入手するということは困難であった。
【０００６】
このような問題を解決するために、特開2002-215534では、ニュース等の情報をユーザが利用し易いようにして配信するシステムを提供している。
【０００７】
このシステムにおいては、情報配信サーバは、情報提供ソースの中からユーザが指定した少なくとも一つから、ニュース情報など時刻に応じて変化する情報をユーザが指定した条件を満たす範囲でインターネットを介してユーザが指定した配信時刻に合わせた時間に取得する手段と、取得された文書情報を読み上げたときの音声を表すＭＰ３フォーマットの音声ファイルを生成する手段と、生成された音声ファイルをユーザに宛てた電子メールに添付してユーザが指定した配信時刻に配信する手段とを備えている。ユーザは、情報端末により音声ファイルを受信し、音声再生機能を有する腕時計又は携帯型の音楽プレーヤ等により、受信された音声ファイルを再生することができるようになっている。
【０００８】
また、音声ファイルを駅構内の自動改札機に送信しそこからユーザの機器に転送することもできるようになっている。
【特許文献１】特開2002-215534号
【発明の開示】
【発明が解決しようとする課題】
【０００９】
しかしながら、このようなニュース情報等の配信システムであっても、音声ファイルに変換された情報を音声として全て聞かなければその情報の全体を把握することができず、必要なニュース情報を、短時間で、簡便に、手に入れることができるという訳ではなかった。
【００１０】
本発明は、係る観点から携帯電話や携行端末とその基地局との接続による通信サービス網を利用することにより、必要なニュース情報等を、いつでも、短時間で、簡便に、どこにいても手に入れることができる方法を提供するものである。
【課題を解決するための手段】
【００１１】
以上のような課題を解決するために、請求項1に係る発明では、携帯電話や携行端末とその基地局との接続による通信サービス網を利用してニュース等の情報を提供する方法において、
(1) 所定の時間毎に得られる最新のニュース等の情報を、1又は複数枚の静止画漫画で表したデジタルデータを作成するステップと、
(2) 通信サービス網に接続された情報配信サーバにデジタルデータを入
力するステップと、
(3) 携帯電話や携行端末ユーザからの要求により、情報配信サーバに入力されたデジタルデータを携帯電話や携行端末ユーザに配信するステップと
を備えた構成とした。
【００１２】
このような構成とすることにより、携帯電話や携行端末のユーザは通信サービス網を介して情報配信サーバ装置にアクセスし、1又は複数枚の静止画漫画で表したニュース等の情報を入手することができる。このような静止画漫画は、単なる文字情報や音声情報だけとは違って、さまざまな情報を瞬時にユーザに伝達することができるという特徴を持っている。たとえば、静止画漫画の中に人物が描かれているような場合には、その人物の表情から「怒り」、「喜び」、「悲しみ」、「驚き」等の情感を読み取ることができ、ニュース等の情報を入手しようとするユーザの感性を刺激して情報伝達を行うことができるという特徴を持っている。このような情報は、単なる文字情報や音声情報に比べてはるかに多くの情報を有しているため、ユーザはニュース等の情報を短時間で、簡便に入手することが可能となる。また、携帯電話や携行端末ユーザは、その機器が有するモバイル性から、1又は複数枚の静止画漫画で表したニュース等の情報をいつでも、どこにいても入手することができるようになる。
【００１３】
また、請求項2に係る発明では、携帯電話や携行端末とその基地局との接続による通信サービス網を利用してニュース等の情報を提供する方法において、
(1) 所定の時間毎に得られる最新のニュース等の情報を、1又は複数枚の静止画漫画で表したデジタルデータを作成するステップと、
(2) 通信サービス網に接続された情報配信サーバにデジタルデータを予
め定めたジャンル毎に分類して入力するステップと、
(3) 携帯電話や携行端末ユーザからのジャンルを指定した要求により、情報配信サーバに入力されたデジタルデータの内から、対応するジャンルのデジタルデータを携帯電話や携行端末ユーザに配信するステップと
を備えた構成とした。
【００１４】
このような構成とすることにより、携帯電話や携行端末のユーザは、指定したジャンル毎のニュース等の情報を入手することができるようになる。
【００１５】
また、請求項3に係る発明では、請求項1または2のいずれかに記載の携帯電話や携行端末とその基地局との接続による通信サービス網を利用してニュース情報を提供する方法において、
デジタルデータが、ニュース情報を1又は複数枚の静止画漫画に代えてアニメーションで表された構成とした。
【００１６】
このような構成とすることにより、携帯電話や携行端末のユーザは、静止画漫画で表したデジタルデータを入手する場合に比べて、更に多くの情報を、短時間で、簡便に入手することが可能となる。
【００１７】
また、請求項4に係る発明では、請求項1乃至3のいずれかに記載の携帯電話や携行端末とその基地局との接続による通信サービス網を利用してニュース情報を提供する方法において、
デジタルデータが更に音声情報を含む構成とした。
【００１８】
このような構成とすることにより、静止画漫画やアニメーションの他に、音声情報が加わるため携帯電話や携行端末のユーザは、更に多くの情報を、短時間で、簡便に入手することが可能となる。
【００１９】
また、請求項5に係る発明では、請求項1乃至4のいずれかに記載の携帯電話や携行端末とその基地局との接続による通信サービス網を利用してニュース情報を提供する方法において、
デジタルデータを携帯電話や携行端末ユーザに配信するステップが、電子メールで配信することを特徴とする構成とした。
【００２０】
このような構成とすることにより、携帯電話や携行端末のユーザは、予め予約しておいた時間にデジタルデータの配信を受けることができたり、または毎日決まった時間、あるいは一定の時間間隔でデジタルデータの配信を受けることができるようになる。
【発明の効果】
【００２１】
携帯電話や携行端末のユーザは通信サービス網を介して情報配信サーバにアクセスし、1又は複数枚の静止画漫画で表したニュース等の情報を入手することができるようになる。静止画漫画で表したニュース等の情報情報は、単なる文字情報や音声情報に比べてはるかに多くの情報を有しているため、ユーザはニュース等の情報を短時間で、簡便に入手することが可能となる。また、携帯電話や携行端末ユーザは、その機器が有するモバイル性から、1又は複数枚の静止画漫画で表したニュース等の情報をいつでも、どこにいても入手することができるようになる。
【００２２】
更に携帯電話や携行端末のユーザは、指定したジャンル毎のニュース等の情報を入手することができるようになる。
【００２３】
また、静止画漫画に代えてアニメーションでニュース等の情報を得たり、更に音声情報を加えた情報を得ることができるので、ユーザはニュース等の情報を更に短時間で、簡便に入手することが可能となる。
【００２４】
また、予め予約しておいた時間にデジタルデータの配信を受けることができたり、または毎日決まった時間、あるいは一定の時間間隔でデジタルデータの配信を受けることができるようになる。
【発明を実施するための最良の形態】
【００２５】
以下、本発明に係る携帯電話や携行端末へのニュース情報等の提供方法に関する実施例について更に詳細に説明する。
【００２６】
図1は、本発明に係るニュース情報等の提供方法を表したブロック図である。
【００２７】
図において、13は情報配信サーバであり、14は情報配信サーバへ静止画漫画、アニメーション、および音声データファイルを入力するための入力装置である。
【００２８】
また、10は携帯電話、11は携行端末であり、携行端末としては例えばノート型のパーソナルコンピュータやＰＤＡと呼ばれる携帯型情報端末がある。これらは無線基地局12と無線回線により接続され、通信サービス網15を介して情報配信サーバ13に接続できるようになっている。
【００２９】
次に、本システムにおけるニュース情報等の配信方法について説明する。
【００３０】
ニュース情報等の配信事業者は、最新のニュース情報等に基づき、専門の漫画製作スタッフが作成した1又は複数枚の静止画漫画の画像データを画像圧縮等の技術を利用して画像データファイルを作成する。そして、この画像データファイルを入力装置14から情報配信サーバ13へ入力する。また、1又は複数枚の静止画漫画の画像データファイルに代えて、アニメーションの画像データファイルを入力したり、またはこれらのデータファイルと関連付けられた音声データファイルを入力してもよい。更に、これらのデータファイルは、例えば政治、経済、社会、スポーツ、文化、芸能等のジャンル毎に分類した上で入力しておくこともできる。
【００３１】
携帯電話や携行端末のユーザは、携帯電話10や携行端末11を操作して、無線基地局12と通信サービス網15を介して情報配信サーバ13にアクセスし、まず最初にユーザ登録する。ユーザ登録する際に、例えば電子メールアドレスを登録しておくこともできる。その他の方法としては、携帯電話の通信サービスとして企画し、そのメニューから契約電話番号をキーとしたユーザ登録情報をそのまま利用して、登録済みのパスワード入力だけで、このサービスの利用をメニューベースに登録する方式も採用可能である。後者の方式では、月額の課金等が既存の仕組みの中で、容易に通信事業者による代行徴収で行える利点もある。ユーザ登録が済むとユーザは配信を希望する情報を指定することができる。情報配信サーバ13は指定された情報に対応する、例えば、静止画漫画の画像データファイルを選び出し、これを携帯電話や携行端末のユーザに配信する。ユーザ登録は初回のアクセス時に行なえば、その後にアクセスした場合には不要にすることもできる。また、情報配信サーバ13に、静止画漫画の画像データファイルの他にアニメーションの画像データファイルや、これらのデータファイルと関連付けられた音声データファイルが蓄積されている場合には、ユーザはこれらのデータファイルから選択して情報をダウンロードすることもできる。
【００３２】
更に、携帯電話や携行端末のユーザは、上述したジャンルにより情報の種別を指定し、それによって必要なニュース等の情報をダウンロードすることができるようになる。
【００３３】
また、ユーザ登録の際に登録した電子メールによって、予め登録しておいたジャンルの情報を、指定した日時に情報配信サーバ13から配信するようにすることもできる。
【００３４】
次に、図2に基いて情報配信サーバ13の構成について説明する。
【００３５】
図2は情報配信サーバ13の一実施例をブロックダイヤグラムによって示したものであるが、情報配信サーバ13としてはこれに限定されるものではない。
【００３６】
情報配信サーバ13は、例えば、ウェブサーバ21、電子メールサーバ22、管理サーバ23、記憶装置24、およびこれらを接続するバス25から構成されている。記憶装置24としては、たとえばHDDのような記憶装置を使用することができ、記憶装置24の中には複数の記憶領域241, 242, 243,  ・・・が設けてある。
【００３７】
情報配信サーバ13内にあるウェブサーバ21は通信サービス網15を介してユーザの携帯電話10や携行端末11との通信を行うサーバであり、ユーザ登録のためのホームページを管理する。このホームページに関係するデータは、記憶装置24内に設けられた記憶領域241に記憶される。ウェブサーバ21はアクセスしてきた携帯電話や携行端末のユーザに対してホームページを表示し、このホームページを介してユーザ登録、配信受付、配信条件登録等を行うことができるようになっている。
【００３８】
ユーザ登録、配信受付、配信条件登録等は、管理サーバ23内に備えたユーザ登録プログラム231、配信受付プログラム232、配信条件登録プログラム233等を起動することによって行われる。
【００３９】
ユーザ登録としては、氏名、住所、電子メールアドレスの登録の他、ユーザID、パスワードの発行が行われる。これらのユーザ情報は、記憶装置24内にあるユーザ情報記憶領域243内に記憶される。
【００４０】
携帯電話や携行端末のユーザは配信受付プログラム232に従って、希望する情報を指定することができるようになっている。ここで得られた配信受付データは、配信受付データ記憶領域244内に記憶される。
【００４１】
更に、携帯電話や携行端末のユーザは配信条件登録プログラム233によって、電子メールを使用したニュース情報の配信について、予め登録しておくこともできる。ここで得られた配信条件データは、配信条件データ記憶領域245内に記憶される。
【００４２】
管理サーバ23は、配信受付データ、または配信条件データに基き、情報配信プログラム234を起動して必要なデータをファイルデータベース247から探し出し、ウェブサーバ21により携帯電話や携行端末のユーザに静止画漫画等の情報を配信する。配信された情報に係るデータは、配信情報データ記憶領域246に記憶される。
【００４３】
携帯電話や携行端末のユーザに電子メールを使用して静止画漫画等で表したニュース情報等を配信する場合、またはユーザから問い合わせ等の電子メールを受信するために、電子メールサーバ22が備えられている。この電子メールサーバ22で送受信されたデータは、記憶装置24内にある記憶領域242内に記憶される。
【図面の簡単な説明】
【００４４】
【図１】図1は、本発明に係るニュース情報提供方法を表したブロック図である。
【図２】図２は、情報配信サーバ13の一実施例をブロックダイヤグラムによって示したものである。
【符号の説明】
【００４５】
10    携帯電話
11    携行端末
12    無線基地局
13    情報配信サーバ
14    入力装置
15    通信サービス網
22    電子メールサーバ
【図１】
2006018390.tif 000003
【図２】
2006018390.tif 000004